(57)【要約】【課題】  所与雰囲気の特性で皮膚の状態の来るべき変化に対処するため、化粧品、特に保湿特性をもつ化粧品をユーザーに提供できるようにする道具を提供する。【解決手段】  本発明は、    身体で摂られるべき又は皮膚、粘膜、ヘアー、又は爪に塗布する物質；  化粧品アプリケータ；及び  メークアップ付属部材のうちの少なくとも一つと；  周囲湿度の指示装置；及び  周囲湿度のセンサーのうちの少なくとも一つと；を有して成る道具を提供する。【選択図】    図１
2005028133.tif 000002
【特許請求の範囲】
【請求項１】
身体で摂られるべき又は皮膚、粘膜、ヘアー、又は爪に塗布する物質；
化粧品アプリケータ；及び
メークアップ付属部材
のうちの少なくとも一つと；
周囲湿度の指示装置（４）；及び
周囲湿度のセンサー（１５）
のうちの少なくとも一つと；
を有することを特徴とする道具。
【請求項２】
指示装置（４）が、所与持続時間にわたって相対湿度の値を集積する情報を供給するように構成されていることを特徴とする請求項１記載の道具。
【請求項３】
周囲湿度の指示装置（４）又はセンサー（１５）と共に物質を、物質の包装体（６）に統合し、又は包装体（６）に収納したことを特徴とする請求項２記載の道具。
【請求項４】
物質が容器（１）に収容され、周囲湿度の指示装置（４）又はセンサー（１５）が容器（１）に固着されることを特徴とする請求項１又は２記載の道具。
【請求項５】
周囲湿度の指示装置（４）又はセンサー（１５）が容器（１）の本体に固定されることを特徴とする請求項４記載の道具。
【請求項６】
周囲湿度の指示装置（４）又はセンサー（１５）が容器（１）の閉じ部材に固定されることを特徴とする請求項４記載の道具。
【請求項７】
湿度センサー（１５）特に容量センサー及び湿度センサー（１５）で発生した信号を処理するプロセッサ装置（１６；１７）を有することを特徴とする請求項１〜６のいずれか一項記載の道具。
【請求項８】
湿度センサー（１５）が容量センサーであり、プロセッサ装置が、少なくとも１時間の持続時間及び特に２時間又は３時間の持続時間にわたってセンサーの容量の関数である電流の集積に相応する情報を供給するように構成されることを特徴とする請求項７記載の道具。
【請求項９】
プロセッサ装置が、天気予報を受けるように構成されることを特徴とする請求項７又は請求項８記載の道具。
【請求項１０】
プロセッサ装置が、建物又は車両のコンピュータネットワークと接続することにより、建物又は車両内の空気の湿度に関する情報を受けるように構成されることを特徴とする請求項７〜９のいずれか一項記載の道具。
【請求項１１】
プロセッサ装置が、携帯型端末装置、特に携帯電話器又はＰＤＡと情報を交換するように構成されることを特徴とする請求項７〜１０のいずれか一項記載の道具。
【請求項１２】
プロセッサ装置が、周囲湿度を測定する環境内に居る人に関する情報、特に年齢、性別、皮膚の性質、以前行なった又継続中の処置、皮膚の過敏性、皮膚の保湿状態に関する情報を受けるように構成されることを特徴とする請求項７〜１１のいずれか一項記載の道具。
【請求項１３】
皮膚の少なくとも一つの特性を感知するセンサー（１８）を有することを特徴とする請求項７記載の道具。
【請求項１４】
少なくとも一つの再位置決め可能な接着支持体を含む周囲湿度の指示装置（１４）を有することを特徴とする請求項１記載の道具。
【請求項１５】
周囲湿度の指示装置（４）が、少なくとも一つの取外し可能な部分（１３）及び特に少なくとも二つの取外し可能な部分を備え、周囲湿度が相応した湿度閾値を越える時を上記又は上記各取外し可能な部分が表示するように構成されていることを特徴とする請求項１記載の道具。
【請求項１６】
取外し可能な部分の少なくとも一つが、３０％の相対湿度の閾値を越えたことを表示するように構成されていることを特徴とする請求項１５記載の道具。
【請求項１７】
皮膚又は唇の水分に影響する物質を有することを特徴とする請求項１〜１６のいずれか一項記載の道具。
【請求項１８】
表示装置を有し、物質の塗布又は吸収の頻度に関する奨励（２２）、或いは使用する物質、特に化粧品の性質の変更を表示するように構成されていることを特徴とする湿度計。
【請求項１９】
奨励が満足であるとわかるかどうか、又は奨励を明確にするための基礎となる相対湿度閾値の変更が必要であるかどうかをユーザーに指示させる入力部材、特に一つ以上のキーを有することを特徴とする請求項１８記載の湿度計。
【請求項２０】
少なくとも一つの指示装置（４）又は人の近くに配置したセンサー（１５）によって周囲湿度に関連した情報を供給すること；及び
少なくとも上記情報の関数である頻度で化粧品を塗布すること
を含むことを特徴とする人の化粧トリートメント法。
【請求項２１】
少なくとも一つの指示装置（４）又は人の近くに配置したセンサー（１５）によって周囲湿度に関連した情報を供給すること；及び
少なくとも上記情報の関数として、皮膚、粘膜、ヘアー又は爪から増大した蒸発の影響を阻止又は修正できる保湿能力又は性質をもつ物質を選択すること
を含むことを特徴とする人の化粧トリートメント法。
【請求項２２】
物質が、異なる保湿能力をもつ多数の物質から選択されることを特徴とする請求項２１に記載の人の化粧トリートメント法。
【発明の詳細な説明】
【技術分野】
【０００１】
本発明は、人に供給するために又は身体をトリートメント及び特に化粧トリートメントするために用いる装置及び方法に関するものである。
【背景技術】
【０００２】
特に、特許文献１には、人に関連した情報の少なくとも一つの事項及び例えばその人の居る地形区域における空気特性に関するデータから成り得る特定地域情報の少なくとも一つの項目の関数としてその人に少なくとも一つの化粧品を奨励することを教示している。
【特許文献１】米国特許出願第２００３／００６４３５０号
【０００３】
さらに、皮膚を湿らす（潤いを与える）種々の物質は、特に皮膚に塗布するクリームの形態で現在市販されている。
【０００４】
そのような物質のユーザーが恐らく気づくであろう空気の湿度は一日を通して非常に大きく変化し得る。皮膚からの水分の僅かな散逸は、例えば、空調の効いた空間内に長く居たり風に晒されていると、強く影響され得る。
【０００５】
そのため、ユーザーは、恐らく皮膚を比較的早く乾燥させる大気中に居ることに気づかず、乾燥皮膚の最初の徴候は、ユーザーがもはや問題を改善するために利用できる保湿物質を持っていないか又は他に用事があるためもはやそのような物質を塗布できない後に、生じ得る。特に、早期の徴候の一つとして、消費者が乾燥皮膚と直接結びつかない不快感を感じ得る。
【０００６】
その結果、所与雰囲気の特性で皮膚の状態の来るべき変化に対処するため、化粧品、特に保湿特性をもつ化粧品をユーザーに提供する必要がある。
【発明の開示】
【発明が解決しようとする課題】
【０００７】
本発明は特にこの問題に取り組むものである。
【課題を解決するための手段】
【０００８】
本発明の第１の特徴において、本発明は、
身体で摂られるべき又は皮膚、粘膜、ヘアー、又は爪に塗布する物質；
化粧品アプリケータ；及び
メークアップ付属部材
のうちの少なくとも一つと；
周囲湿度の指示装置；及び
周囲湿度のセンサー
のうちの少なくとも一つと；
を有することを特徴とする道具
を提供する。
【０００９】
用語“周囲湿度の指示装置”は、直接消費者がわかることのできる手段、視覚、触覚、聴覚又は臭覚で周囲湿度に関連した情報、即ち関連した人を取り巻く空気の湿度についての情報を供給できる要素を表すのに用いられる。例として、この情報は、表示される相対湿度の値又は物質を摂たり塗布することを勧めるメッセージの形態で提供され得る。また、この情報は、乾燥する危険又は周囲湿度に関連した他の危険についての警告からなり得る。
【００１０】
用語“周囲湿度のセンサー”は、相対湿度に感応するが、直接観測者がわかることのできる情報を提供しない要素を表すのに用いられる。例えば、このセンサーは、消費者が直接わかることのできる情報に変換するためには処理を必要とする符号化した電気信号を供給し得る。このセンサーは例えば、容量又は抵抗或いはその他のセンサーで、特にセンサーで見出されることになる気体の水分含有量で変化する物理的及び（又は）物理−化学的性質をもつ任意の物体で構成され得る。
【００１１】
周囲湿度指示装置はセンサーを備えていても備えていなくてもよい。周囲湿度センサーは、センサー及びこのセンサーから信号を受けて相応した情報を供給するプロセッサ装置を有し得る。センサー及びプロセッサ装置は、単位組立体を形成して、適当にはワイヤーリンク又はワイヤレスリンクを介してデータを交換するようにしてもよい。
【００１２】
周囲湿度指示装置又はセンサーは、ユーザーが所与湿度の大気に晒された長さに注意する情報を受けるように構成され得る。センサーから発生した信号の処理は大気に晒された長さを考慮し得る。
【００１３】
例えば、周囲湿度指示装置は、所与持続時間にわたって直接関連のある湿度の値を集積する情報を供給するように構成され得る。従って、空気の相対湿度の変化は、かかる変化が例えはユーザーに影響し得るのに十分である１時間以上の持続時間にわたって維持される場合にのみユーザーによって考慮される。
【００１４】
容量センサーを用いる場合に、関連したプロセッサ装置からユーザーに供給される情報は、少なくとも１時間の持続時間例えば２時間又は３時間の持続時間にわたってセンサーの容量の関数である電流の集積と結びつけられ得る。集積の持続時間はユーザーの皮膚の水分を改善する物質の種類及び（又は）ユーザーの皮膚の性質を考慮するために確立され得る。
【００１５】
物質は、摂取することによってか又は局部的に塗布することによって、皮膚の水分又は唇の水分に作用する物質であり得る。
【００１６】
本発明の道具は、消費者の居る環境の乾燥効果に対して保護することになる物質を摂取するか塗布するかどうかを周囲湿度の関数として消費者が決めることができる。
【００１７】
周囲湿度センサー又は指示装置は、周囲の相対湿度が低いために皮膚の乾燥が加速される危険があるかどうかを消費者が容易に知ることができるようにさせる。それにより消費者は、妥当な場合には、保湿物質を更に頻繁に繰り返し塗布することによって又は実際に使用する物質より一層適当でありかつ道具に設けた範囲の物質から選択される物質を用いることによって、予防処置を施すことができる。
【００１８】
本発明の実施形態では、本道具は、まず第１に物質をそして第２に該物質の容器又は包装体に組み込まれた又は該物質のパッケージに収納された周囲湿度指示装置又はセンサーを有する。例として、物質は容器内に入れられ得、また周囲湿度指示装置又はセンサーは、例えば容器本体又は容器の閉じ部材に固着することによって容器に固定され得る。
【００１９】
上述のように、本道具は湿度センサーから発生した信号を処理するプロセッサ装置を備え得る。
【００２０】
プロセッサ装置は、湿度の既知の影響、特に皮膚に関連して、一つ以上のアルゴリズムを用いてセンサーからのデータを処理するように構成され得る。
【００２１】
妥当な場合には、プロセッサ装置は、周囲湿度の測定されることになる環境に居る人に関連した情報、例えばその人の年齢、性別、皮膚の性質、過去又は現在のトリートメント、皮膚の敏感さ、皮膚の水分の状態などに関する情報を受けるように構成され得る。
【００２２】
本発明の実施形態では、本道具はさらに、関っている人の皮膚の少なくとも一つの特性をセンサー、例えば水分センサー又は皮膚の状態に関連する生物物理学的又は生化学的パラメーターに応動するセンサーを有する。
【００２３】
妥当な場合には、プロセッサ装置は、例えば取るべき処置を推奨する際に天気予報を考慮するために、天気予報を受けるように構成され得る。
【００２４】
プロセッサ装置は、建物又は車両に付属するコンピュータネットワークと接続することにより、建物又は車両、特に航空機、列車又は自動車内の空気の湿度に関する情報を受けるように構成され得る。
【００２５】
プロセッサ装置はまた、携帯型端末装置、特に携帯電話器又は個人ディジタル援助装置（ＰＤＡ）と情報を交換するように構成され得る。
【００２６】
本発明の実施形態においては、プロセッサ装置は、周囲湿度に関連した情報を、無線又は赤外線ワイヤレスリンクを介して遠隔の受信機へ送信する送信機を備える。この送信機は特に、携帯型端末装置、特に携帯電話器又はＰＤＡに情報を伝送するようにされ得る。
【００２７】
プロセッサ装置は、少なくとも一部、携帯端末装置で構成され得、又センサーは携帯端末装置とデータ交換するように構成され得る。
【００２８】
指示装置は、視覚、触覚、聴覚、又は臭覚による周囲湿度と関連した信号を発生するように構成され得る。指示装置は、特に大気湿度の関数として例えば周囲湿度と共に色の変化する化学反応材によって色彩を変化する少なくとも一つのゾーンを有し得る。
【００２９】
本発明の特定の実施形態では、本道具は、少なくとも一つの位置決め直し可能な接着支持体を備える周囲湿度指示装置又はセンサーを有する。これにより、例えば、ユーザーは一つの選択した容器又は物品に指示装置又はセンサーを固定させることができ、その結果、その指示装置又はセンサーを別の容器又は付属品で再使用することができる。その他の解放可能な固着手段、特にＶｅｌｃｒｏ（登録商標）型、ねじ固着式、摩擦式、又はスナップ嵌め式の固着手段を用いてもよい。
【００３０】
周囲湿度指示装置は少なくとも二つの取外し可能な部分を有することができ、各取外し可能な部分は、周囲湿度が予定の湿度閾値を横切った時を指示するように構成され、例として、各取外し可能な部分は、位置決め直し可能な接着支持体を備え得る。例として、各取外し可能な部分は、周囲相対湿度の関数として色彩の変化するゾーンを備え得る。
【００３１】
本発明の別の特徴において、本発明は、
各々、周囲湿度がそれぞれの湿度閾値を越えた時を指示するようにされた多数の指示装置から少なくとも一つの指示装置を選択し、この選択を、少なくとも人の皮膚の性質及び（又は）施すべき又は塗布すべき物質の関数として行なう段階と；
選択した指示装置が湿度閾値を越えていることを指示している場合に少なくとも一つの処置を始める際にその人に警告及び（又は）忠告を発する段階と；
を含む、周囲湿度の関数として取られるべき処置ついて人に忠告及び（又は）警告する方法を提供する。
【００３２】
例えば、皮膚が急速に乾燥する第１の人の場合、選択した指示装置は、大気湿度が極めて高い閾値以下に低下するや否や、その人に警告を発する指示装置であり得る。例として、この閾値は、相対湿度５０％〜３０％の範囲にあり得る。閾値は、ユーザーの満足度を考慮した、特に、例えばあまりに低い又はあまりに高い閾値を用いた時に、所与警告の有効性に関するユーザーの意見を考慮したアルゴリズム即ちソフトウエアを用いて人それぞれについて最適化され得る。比較的乾燥し難い皮膚をもつ第２の人の場合、選択した指示装置は、大気湿度が第一の人の場合より非常に低い閾値以下に低下した時に、その人に警告を発する指示装置であり得る。
【００３３】
本発明の別の特徴において、本発明は、少なくとも一つの周囲湿度指示装置及び周囲湿度センサーから発生した情報の関数として行なうべきトリートメント及び（又は）トリートメントの回数についての奨励を発することを含む、トリートメント特に化粧トリートメント法を提供する。
【００３４】
本発明の別の特徴において、本発明は、
人に少なくとも一つの周囲湿度指示装置又はセンサーを付随させて設ける段階と；
周囲湿度指示装置又はセンサーから発生した情報の関数として警告及び（又は）少なくとも一つの処置の奨励を発する段階と；
を含む、人に物質特に化粧品の使用に関して警告及び（又は）奨励を行なう方法を提供する。
【００３５】
例として、この処置は、皮膚、粘膜、ヘアー又は爪からの蒸発の増加の影響を修正及び（又は）阻止する作用をもつ物質を摂取又は塗布することにあり得る。
【００３６】
本発明は、また、表示装置を有し、物質の摂取又は塗布の回数に関する奨励或いは使用する物質、特に化粧品の性質の変更を表示するように構成されている湿度計を提供する。
【００３７】
該奨励は、ユーザーが満足であると考えられるアルゴリズムによって選択される閾値に関連し得る。
【００３８】
本湿度計は、特に、奨励が満足であるとわかるかどうか、又は奨励を明確にするための基礎となる相対湿度閾値の変更が必要であるかどうかをユーザーに指示させる入力部材、例えば一組のキーを有し得る。
【００３９】
本発明は、また、
人の近くに配置した少なくとも一つの指示装置又はセンサーによって周囲湿度に関連した情報を供給する段階；及び
少なくとも上記情報の関数である回数で化粧品を塗布する段階
を含む人の化粧トリートメント法を提供する。
【００４０】
本発明は、また、
人の近くに配置した少なくとも一つの指示装置又はセンサーによって周囲湿度に関連した情報を供給する段階；及び
少なくとも上記情報の関数として、皮膚、粘膜、ヘアー又は爪から増大した蒸発の影響を阻止又は修正できる保湿能力又は性質をもつ物質を選択する段階；
を含むことを特徴とする人の化粧トリートメント法を提供する。該選択は、特に、異なる保湿能力をもつ多数の物質から行なわれ得る。
【００４１】
本発明は、添付図面を参照して、本発明を限定しない実施形態についての以下の詳細な説明から一層良く理解される。
【発明を実施するための最良の形態】
【００４２】
図１には容器１を示し、この容器１は本体２と、本体２に取外し可能に固定される閉じ部材３とを有している。
【００４３】
容器１は、摂取すべき物質又は化粧品、即ち身体の一つ以上の外部状態に作用させるために用いられ得る物質を収容するようにされている。化粧品は１９９３年６月１４日のＥＥＣ  Ｃｏｕｃｉｌ  Ｄｉｒｅｃｔｉｖｅ  ９３／３５に定義されている。化粧品には、メークアップ及びケアー製品（皮膚用、ヘアー用及び爪用）、並びに特に皮膚又は唇を水和させる物質が含まれる。
【００４４】
容器１はまた、皮膚、粘膜、ヘアー、又は爪に作用する、そして特に皮膚、粘膜、ヘアー、又は爪からの増加した蒸発の影響を修正及び（又は）阻止する健康用食品も収容し得る。容器１はまた、周囲湿度に依存する効能をもつ及び（又は）乾燥した大気に特に有利に作用する薬剤（抗アレルギー剤、平滑化剤、抗燃焼剤、乾癬防止剤）を収容し得る。
【００４５】
本発明の特徴において、容器１は、例えば周囲湿度が予定の閾値を越えた時に色の変化するゾーンをもつ色彩スケールの形式の周囲湿度指示装置４を備えている。スケールは例えば１０％のステップで２０％〜８０％の範囲をカバーする相対湿度とそれぞれ関連した多数の並置色彩ゾーンから成り得る。各色彩ゾーンは、周囲湿度が上記ゾーンに関連した湿度値を越える時に色彩が変化する。このような周囲湿度指示装置の例としては、特に、製造業者、Ｓｏｒｂｅｎｔ  Ｓｙｓｔｅｍ  Ｓｏｒｂｅｎｔ  Ｓｙｓｔｅｍｓ  Ｏｎｌｉｎｅ  ｐｒｅｓｅｎｃｅ  ｏｆ  ＩＭＰＡＫ  Ｃｏｒｐｏｒａｔｉｏｎ，２４６０  Ｅａｓｔ  ５７ｔｈ  Ｓｔｒｅｅｔ，Ｌｏｓ  Ａｎｇｅｌｅｓ，ＣＡ  ９００５８によって参照番号６３７ＡＧ１０で販売されたもの又は製造業者、Ｄｅｓｃｏ，９０  Ｈｕｄｓｏｎｓ  Ｒｏａｄ，Ｃａｎｔｏｎ，ＭＡ０２０２１−１４０４によって参照番号ＨＭ−０４で販売されたもの、或いは製造業者、Ｄｉａｔｅｒｏ，５２  ｂｏｕｌｅｖａｒｄ  Ｍａｉｌｌｏｔ，９２２００  Ｎｅｕｉｌｌｙ，Ｆｒａｎｃｅによって参照番号１２８８又は１２８９で販売されたものがある。
【００４６】
容器１は図１にはフラスコの形態で概略的に示されているが、当然液体又はその他の例えば粉体又はケークの形態の物質に適合させるために異なった形態に構成され得る。容器１は特に唇に塗布するステック状の物質を収容するケースであり得る。
【００４７】
容器１はまた、アプリケータ部分を含むことができ、又は例えば閉じ部材３に固定されるアプリケータを収容できる。
【００４８】
容器１に周囲湿度指示装置４を設けたことにより、ユーザーは、容器１が乾いた又は湿った大気中にあるかどうかを知ることができ、そしてその結果として容器１内に収容された物質を塗布するか否かを決めることができる。
【００４９】
例として、容器１は、指示装置４で指示された湿度レベルに関連した塗布の特定の回数を奨励する使用説明書を添付して販売され得る。
【００５０】
図１の例では、指示装置４は容器１の本体２に固定されているが、変形例では指示装置４は閉じ部材３に取り付けられるか又は閉じ部材３と一体に設けられ得る。
【００５１】
指示装置４は、相対湿度値を指示するように又は周囲湿度の関数として取られるべき処置を直接特定するように構成され得る。
【００５２】
例えば、閉じ部材３は周囲湿度の関数として色彩の変化する材料で構成され得る。大気が乾燥している時には、例えばキャップはある特定の色彩を有し得、それによりユーザーに皮膚の乾燥の危険を警告する。
【００５３】
閉じ部材３はまた、例えば、図２に示すように、ある一定の湿度状態のもとで奨励またはメッセージ５を表すようにするために、周囲湿度の関数として色彩の変化する材料で部分的に構成され得る。この奨励又はメッセージは、周囲湿度が高くなると、消え得る。
【００５４】
本発明の範囲内において、湿度指示装置は容器１自体にではなく、図３に示すようにそれの包装体６例えば厚紙箱に設けることも可能である。
【００５５】
指示装置４は、周囲湿度の関数として色彩の変化する、例えば、包装体６に貼り付けられた又は印刷されたペレットの形態でもよい。特に包装体６が塗布すべき又は摂取すべき物質の一回分を収容している場合には、包装体６に周囲湿度指示装置４を収容するのが好ましい。
【００５６】
指示装置４はまた、物質を収容した容器及びそれの包装体とは別個でもよく、また例えばクレジットカードと同様なフォーマットのカードの形態、又はリングやクリップのような他の容易に携帯できる要素の形態でもよい。指示装置４のフォーマットは容器１と一緒に包装体６内に指示装置４を入れることができるようにする。
【００５７】
指示装置４は例えばクリップによって閉じ部材に取り付けることができるように構成され得る。
【００５８】
適当な場合には、指示装置４は温度計スケール７及び（又は）太陽光線、特に赤外線又は紫外線に感応する要素と組み合され得る。
【００５９】
指示装置４はまた、メークアップ道具例えば塗布用の一つ以上の物質１１と一緒に一つ以上のメークアップアプリケータ１０を収納する箱９の蓋８に設けてもよい。
【００６０】
指示装置４は、例えばブラシ、絵筆、パウダーパフ、ペンシル、発泡体、フロック加工した端部片の中から選択した身体に物質を塗布するのに使用する任意のアプリケータに固定され得、或いは例えば鏡のような化粧しながら使用される物品に固定され得る。
【００６１】
図６に見られるように、指示装置４は、剥してユーザーの動きについていく物品、例えば腕時計に貼り付けるのに適した少なくとも一つの取外し可能なペレット１３が設けられ得る。
【００６２】
ユーザーの選択したペレット１３の色彩の変化により、ユーザーの周囲の湿度レベルに関する情報が供給され、その結果、ユーザーは、乾燥するのを避け及び（又は）その結果を処置するようにされる物質を摂取又は塗布することができる。
【００６３】
例として、ペレット１３は、相対湿度が３０％に等しいかそれ以上である時には、ピンク色であり得、そして相対湿度がこの閾値より低下すると青色に変化し得る。
【００６４】
相対湿度の閾値を３０％に選択することは、正常であると言える皮膚に相当する。乾燥した皮膚の場合には、閾値はより高くされ得る。保湿力の高い物質の場合には、閾値は、保湿力の弱い物質の場合より小さくされ得る。人毎に閾値は、できればソフトウエアの形態に構成した適切なアルゴリズムを用いて、例えば種々の感応度指示装置を用いた又は指示用の閾値を選択するチャートを用いて、ユーザーの満足度を考慮して特に予防処置が有効であるか閾値が低過ぎるために有効でないかにを考慮して、最適化され得る。
【００６５】
指示装置４はまた、周囲湿度に感応しそして例えば図７に示すようにプロセッサ装置に情報を伝送できる周囲湿度センサー１５に代えても及び（又は）周囲湿度センサー１５を備えてもよい。
【００６６】
例として、プロセッサ装置は、コンピュータ１６、又は携帯電話又はＰＤＡのような携帯型端末装置１７、或いは特殊目的の装置から成り得る。
【００６７】
周囲湿度センサー１５は、図１〜図５の実施形態における指示装置４に代えられ得る。
【００６８】
周囲湿度センサー１５は、データを交換できそして少なくとも例えば特にＢｌｕｅｔｏｏｔｈ（登録商標）又はＷｉ−Ｆｉ（登録商標）型の赤外線又は無線接続であり得るワイヤレス接続を介してプロセッサ装置にデータを伝送できるインターフェースを備え得る。
【００６９】
プロセッサ装置、特にコンピュータ１６又は携帯型端末装置１７、特に携帯電話は、センサー１５で検出した相対湿度値を表示し、そして適当には、検出した値の関数として予定の物質の摂取又は塗布を奨励するようにプログラムされ得る。
【００７０】
プロセッサ装置から出された奨励は、ユーザーからの個人データに関する知識を使用できる。特に、プロセッサ装置又はプロセッサ装置から問い合わせられたデータベースには、ユーザーの皮膚の性質、年齢、性別、食習慣、頻繁に使用する化粧品などについて入力され得る。
【００７１】
プロセッサ装置から出された奨励は、皮膚、粘膜、ヘアー、又は爪に適応されるセンサーであり得る少なくとも一つの付加的なセンサー１８、例えば皮膚の水分センサーから得られた情報に少なくとも部分的に基づき得る。適当には、センサー１８はワイヤレスリンクを介してコンピュータ１６及び携帯型端末装置１７の少なくとも一方と接続できる。付加的なセンサー１８はまた、温度又は太陽光線に応動するセンサーであることができ、或いは皮膚又はヘアー又は爪の状態に関連した任意の生物物理学的又は生化学的パラメーターに関する指示を与える又は決めるバイオセンサーであってもよい。
【００７２】
適当には、センサー１５、１８は互いに固定され得る。
【００７３】
センサー１５及びプロセッサ装置の少なくとも一方は外部情報源１９から送られてくる情報を受けるように構成され得、上記情報は例えば天気予報を含んでいる。物質は、周囲湿度の関数だけでなく同じ地形的場所か又は旅行の結果として大気状態の予期した変化の関数としてもユーザーに奨励され得る。例えば、湿った天候が予想される場合には、物質の塗布の奨励された回数は、乾燥し風の強い天候が予想される場合より少なく、又は保護剤の少ない物質が用いられ得る。ユーザーが旅行中で乾燥地方へ行く場合には、プロセッサ装置は、それに応じて所与物質の摂取又は塗布を奨励するために、目的地を考慮し得る。
【００７４】
図８には、本発明の別の特徴に従って構成した湿度計２０を示している。
【００７５】
この湿度計２０は、周囲湿度に応動するセンサー及びできればまた温度センサーを備え、そして図示例では相対湿度及び温度の値を表示するようにされた表示装置２１を備えている。
【００７６】
湿度計２０はまた、湿度計２０で検出した周囲条件及び特に周囲湿度における影響を考慮するため、取られるべき処置に関するメッセージ又は奨励２２を表示するように構成される。このメッセージは特に、“物質Ｘを急いで塗布してください”、“物質Ｘを毎日塗布してください”、“物質Ｘを一日二回塗布してください”などから選択され得る。
【００７７】
当然、本発明は上記の実施形態に限定されない。
【００７８】
特に、指示装置は図示したもの以外の多くの形式で構成され得る。
【００７９】
以上説明してきた種々の実施形態の特徴は互いに結合され得る。
【００８０】
特許請求の範囲を含む明細書の記載において、用語“備える”又は“有する又はから成る”は、特に注釈しない限り“少なくとも一つ備える、少なくとも一つ有する、又は少なくとも一つから成る”と同義であると理解されるべきである。
【図面の簡単な説明】
【００８１】
【図１】容器本体に周囲湿度指示装置を固定した容器を示す概略斜視図。
【図２】周囲湿度指示装置を備えた閉じ部材を分離して示す斜視図。
【図３】周囲湿度指示装置を備えた包装体を示す斜視図。
【図４】周囲湿度指示装置の変形実施の形態を示す図。
【図５】周囲湿度指示装置を備えた化粧道具の構成を示す図。
【図６】時計のような、動いているユーザーの携帯する物品に移された周囲湿度指示装置を示す斜視図。
【図７】周囲湿度センサーとコンピュータ及び（又は）電話環境との間で行なわれ得るデータ交換を示す線図。
【図８】周囲湿度に関連した奨励を発する用に構成した湿度計を示す図。
【符号の説明】
【００８２】
１：容器
２：本体
３：閉じ部材
４：周囲湿度指示装置
５：奨励又はメッセージ
６：包装体
７：温度計スケール
８：蓋
９：箱
１０：メークアップアプリケータ
１１：物質
１３：ペレット
１４：指示装置
１５：周囲湿度センサー
１６：コンピュータ
１７：携帯型端末装置
１８：付加的なセンサー
１９：外部情報源
２０：湿度計
２１：表示装置
２２：メッセージ又は奨励
【図１】
2005028133.tif 000003
【図２】
2005028133.tif 000004
【図３】
2005028133.tif 000005
【図４】
2005028133.tif 000006
【図５】
2005028133.tif 000007
【図６】
2005028133.tif 000008
【図７】
2005028133.tif 000009
【図８】
2005028133.tif 000010
【外国語明細書】
2005028133.tif 000011
2005028133.tif 000012
2005028133.tif 000013
2005028133.tif 000014
2005028133.tif 000015
2005028133.tif 000016
2005028133.tif 000017
2005028133.tif 000018
2005028133.tif 000019
2005028133.tif 000020
2005028133.tif 000021
2005028133.tif 000022
2005028133.tif 000023
2005028133.tif 000024
2005028133.tif 000025
2005028133.tif 000026
2005028133.tif 000027
2005028133.tif 000028
2005028133.tif 000029
2005028133.tif 000030
2005028133.tif 000031
2005028133.tif 000032